(57)【要約】【課題】  商品を展示するための方法を提供する。【解決手段】  小売業者から製品展示構造体について設置権利を取得すること；商品の小売業者に近接する場所に製品展示構造体を設置すること；製品展示構造体についての空間を商品製造者に販売すること；商品製造者により製造された商品を小売業者による最終的販売のため製品展示構造体内に貯蔵することを具備してなる。【選択図】図１
2009503583.tif 000002
【特許請求の範囲】
【請求項１】
小売業者から製品展示構造体について設置権利を取得すること；
商品の小売業者に近接する場所に製品展示構造体を設置すること；
小売業者により販売される特定の商品の販売人に製品展示構造体中の空間を販売すること；
を具備してなることを特徴とするビジネス方法。
【請求項２】
製品展示構造体上の広告空間を販売することを含む請求項１記載の方法。
【請求項３】
製品展示構造体上に特定の商品を広告することを含む請求項１記載の方法。
【請求項４】
製品展示構造体上に小売業者について広告することを含む請求項１記載の方法。
【請求項５】
小売業者により最終的に販売するため、製品展示構造体内に販売人からの特定の商品を貯蔵することを含む請求項１記載の方法。
【請求項６】
製品展示構造体上の広告空間を販売することにより発生した収入を小売業者および販売人の一方と分け合うことを含む請求項２記載の方法。
【請求項７】
製品展示構造体を小売業者の近傍に配置させる過程と；
小売業者により販売される特定の商品の販売人に製品展示構造体の空間を販売する過程と；
を含むことを特徴とするビジネス方法。
【請求項８】
製品展示構造体上の広告空間を販売することを含む請求項７記載の方法。
【請求項９】
製品展示構造体上の広告空間を販売することにより発生した収入を小売業者および販売人の一方と分け合うことを含む請求項８記載の方法。
【請求項１０】
製品展示構造体上に特定の商品を広告することを含む請求項７記載の方法。
【請求項１１】
製品展示構造体上に小売業者について広告することを含む請求項７記載の方法。
【請求項１２】
小売業者により最終的に販売するため、製品展示構造体内に販売人からの特定の商品を貯蔵することを含む請求項７記載の方法。
【請求項１３】
製品展示構造体を所有することを含む請求項７記載の方法。
【請求項１４】
製品展示構造体を小売業者に販売することを含む請求項７記載の方法。
【請求項１５】
製品展示構造体を販売人に販売することを含む請求項７記載の方法。
【請求項１６】
販売人の要望に適合させるため、製品展示構造体内の空間をカスタム化することを含む請求項７記載の方法。
【請求項１７】
小売業者のトレード・ドレス（ｔｒａｄｅ  ｄｒｅｓｓ）を組み込むため、製品展示構造体の外部をカスタム化することを含む請求項７記載の方法。
【請求項１８】
販売人のトレード・ドレス（ｔｒａｄｅ  ｄｒｅｓｓ）を組み込むため、製品展示構造体の外部をカスタム化することを含む請求項７記載の方法。
【請求項１９】
製品展示構造体内の空間のための環境制御を提供することを含む請求項７記載の方法。
【請求項２０】
製品展示構造体上に設けられた広告を回転させることを含む請求項７記載の方法。
【請求項２１】
製品展示構造体上に設けられた広告を照明させることを含む請求項７記載の方法。
【請求項２２】
製品展示構造体をモジュール建築材料から製作する請求項７記載の方法。
【請求項２３】
製品展示構造体を地面に固定することを含む請求項７記載の方法。
【請求項２４】
一定期間後に製品展示構造体を移動させることを含む請求項７記載の方法。
【請求項２５】
製品展示構造体を他の場所で再使用することを含む請求項２４記載の方法。
【請求項２６】
製品展示構造体に装飾的屋根体を設ける請求項７記載の方法。
【請求項２７】
商品小売業者の要求に応じるため製品展示構造体内の空間の一部をカスタム化することを含む請求項７記載の方法。
【請求項２８】
前記空間を複数の製品展示領域に分割し、この複数の製品展示領域を複数の異なる商品販売人に販売することを含む請求項７記載の方法。
【発明の詳細な説明】
【技術分野】
【０００１】
本願はアメリカ特許仮出願第６０／７０２，４７６号（２００５年７月２６日出願）、同第６０／７６３，６８８号（２００６年１月３１日出願）及び同第６０／７８１，８１２号（２００６年３月１３日出願）の利益を主張するものである。
本発明は大略的に貯蔵および野外広告分野に係わるものであり、特に商品販売人のため商品を展示する方法に関する。
【背景技術】
【０００２】
商品の販売人の多く、特に、限定的ではないが、乳製品および飲料販売人を含む小売業者は末端顧客の大きい要求に対し時間通りの搬送サービスを提供しなければならない。一般に、このような末端顧客は、牛乳、ビール、ソフトドリンクおよびスポーツドリンクなどの商品を毎日又は一日置きに配達することを欲する。このような末端顧客の要求に応じて効率的な配達スケジュールを組んだり、展開させることは管理上かなりの負担になる。更に、輸送コストが、ガソリンの値段の上昇により急激に上昇している。残念ながら、ガソリンおよびディーゼル燃料の値段の上昇のため、配達コストがより高くなり続けることが予想される。
【特許文献１】米国特許Ｎｏ．６，２７９，２８７
【特許文献２】米国特許Ｎｏ．５，３７３，６７８
【特許文献３】米国特許Ｎｏ．６，１１９，４２７
【特許文献４】米国特許Ｎｏ．４，０２１，９４６
【発明の開示】
【発明が解決しようとする課題】
【０００３】
本発明は、小売業者の場所のその場で在庫品を展示することにより輸送費および人件費を劇的に減少させることができる商品の展示する方法を提供するものである。このようなアプローチは更に配達スケジュールの展開および調整を簡略化させるものとなる。
【課題を解決するための手段】
【０００４】
ここに記載した本発明の目的に従って、商品を展示するための方法が提供される。この方法は、小売業者から製品展示構造体について設置権利を取得すること、商品の小売業者に近接する場所に製品展示構造体を設置すること、小売業者により販売される特定の商品の販売人に製品展示構造体中の空間を販売することを具備してなる。更に、この方法は、この製品展示構造体上の広告空間を販売することを含むものでもよい。この方法は更に、この製品展示構造体上の広告空間を販売することにより発生した広告収入の一部を商品小売業者と分け合うことを含むものでもよい。
【０００５】
本発明の他の形態に従って、この方法は、この製品展示構造体上に特定の商品を広告することを含むものでもよい。この方法は、その他に、あるいはそれに加えて、製品展示構造体上に小売業者を広告することを含むものでもよい。更に、この方法は、小売業者により最終的に販売するため、製品展示構造体内に販売人からの特定の商品を貯蔵することを含むものでもよい。
【０００６】
その他、このビジネス方法は以下のような過程を含むものとして記述することができる。すなわち、製品展示構造体を小売業者の近傍に配置させる過程と、小売業者により販売される特定の商品の販売人に製品展示構造体の空間を販売する過程とを含む。この方法は、製品展示構造体を所有すること、この製品展示構造体を小売業者又は販売人に販売することを含むものであってもよい。更に、この方法は、販売人の要望に適合させるため、製品展示構造体内の空間をカスタム化することを含むものでもよい。更に、この方法は、所望に応じて小売業者又は販売人のトレード・ドレス（ｔｒａｄｅ  ｄｒｅｓｓ）を組み込むため、製品展示構造体の外部をカスタム化することを含むものでもよい。
【０００７】
更に、この方法は、製品展示構造体内の空間のための環境制御を提供することを含むものでもよい。更に、この方法は、製品展示構造体上に設けられた広告を回転させたり、照明させたりすることを含むものでもよい。
【０００８】
更に、この方法は、規格方式の建築材料から製品展示構造体を構築し、ある場合においては、その製品展示構造体を地面に固定することを含むものでもよい。ある用途において、この方法は、所定期間後に製品展示構造体を除去し、他の場所での使用のため、その製品展示構造体を再使用することを含むものでもよい。更に、この製品展示構造体は装飾的屋根体を備えていてもよい。更に、製品展示構造体内の空間の一部を小売業者の必要に応じてカスタム化してもよい。更に、この空間は複数の製品展示領域に分割してもよいし、上記方法が、異なる商品の販売人に対し、この複数の製品展示領域を販売することを含むものでもよい。
【０００９】
本発明の他の形態として、この方法は、販売人により販売される奨励された商品を展示するため、販売人と契約を結ぶこと、その製品の小売業者の近傍に製品展示構造体を配置することを含むものでもよい。その他、この方法は、飲料の奨励されたブランドを展示するため、販売人と契約を結ぶこと、その飲料の奨励されたブランドを販売する小売業者の近傍に製品展示構造体を配置すること、その飲料のブランドの展示および販売促進に対し、販売人からの収入を集めることを含むものでもよい。
【発明を実施するための最良の形態】
【００１０】
以下の記述は、本発明の好ましい具体例を示しているが、これは単に本発明を実施するのに最も適した形態の１つを説明するものに過ぎない。明らかなように、本発明は、その他の異なる具体例も可能であり、その細部については、本発明の趣旨から逸脱することなく種々の自明な観点において変更することが可能である。
従って、ここに記載した図面および記述は基本的に例示として考えられるべきものであり、本発明を限定するものとして捉えられるべきではない。
【００１１】
なお、以下の図面は、この明細書の一部を構成するものであり、本発明の原理を説明するため、本発明の幾つかの形態を発明の詳細な説明と共に説明するものである。
以下、本発明の好ましい具体例を、図面を参照して詳述する。
【００１２】
上述のように、本発明のビジネス方法は、商品の展示(staging)に関するものである。この方法は、一般的、大略的に以下のような過程を含むものとして記述することができる。小売業者から製品展示構造体について設置権利を取得すること、商品の小売業者に近接する場所に製品展示構造体を設置すること、小売業者により販売される特定の商品の販売人に製品展示構造体中の空間を販売することを具備してなる。更に、この方法は、小売業者により最終的に販売するため、製品展示構造体内に販売人からの特定の商品を貯蔵することを含むものでもよい。本明細書の解釈を目的として、“販売人”の用語は、卸売業者、配給業者、製造業者又は特定の商品を販売又は売買することに関係する任意の法人（ｅｎｔｉｔｙ）を包含するものである。更に、この方法は、製品展示構造体上の広告スペースを販売する段階を含むものであってもよい。更に、この方法は、製品展示構造体上の広告スペースを販売することにより発生した収入を小売業者又は販売人と分け合う段階を含むものであってもよい。
【００１３】
その他、本発明の方法は以下のような過程を含むものとして記述することができる。すなわち、製品展示構造体を小売業者の近傍に配置させる過程と、小売業者により販売される特定の商品の販売人に製品展示構造体の空間を販売する過程とを含む。更に、この方法は、製品展示構造体上の広告スペースを販売する段階と、製品展示構造体上の広告スペースを販売することにより発生した収入を小売業者又は販売人と分け合う段階を含むものであってもよい。更に、この方法は、販売人により売買される商品を展示、販売促進のため、販売人と契約を結ぶこと、および商品の小売業者の近傍に製品展示構造体を設置することを含むものであってもよい。更に、この方法は、飲料のブランドの展示、販売促進のため、販売人と契約を結ぶこと、製品展示構造体をこの飲料のブランドの小売業者の近傍に配置すること、およびこの飲料のブランドの展示、販売促進について上記販売人から収入を集めることを含むものであってもよい。この飲料としては、特に制限はないが、ソフトドリンク、スポーツドリンクおよびビールが含まれる。
【００１４】
貯蔵／展示又は一体化広告、貯蔵構造又は納屋１０の１つの可能な構造体が図１−２に示されている。より具体的には、貯蔵構造体１０は、床部１２、２つの側壁１４、末端壁面１６および屋根１８を具備してなる。一対の協働する締付けドア２０が、第１の末端壁面１６の反対側の第２の末端壁面を画成している。意図する目的に有用な任意のタイプのドア２０を利用することができる。床部１２、側壁１４、末端壁面１６、屋根１８およびドア２０が一緒になって内部貯蔵空間２２を画成している。貯蔵空間２２は、販売人の要求に応じてカスタム化することができる。例えば、在庫品貯蔵および調整のため販売人の要求、要望に応じて、特定の台、棚、分割レイアウト（例えば、棚２３）を含めることができる。この内部カスタム化は、もちろん、バーコードなどの在庫品調整技術と一体化するよう仕立てることができる。
【００１５】
同様に、貯蔵構造体１０の外部は、貯蔵構造体１０が使用される場所に近い小売業者の主たる建物のトレード・ドレス（ｔｒａｄｅ  ｄｒｅｓｓ：商業上装飾）及び/又は建築上の特徴に適合するようカスタム化してもよい。すなわち、例えば、貯蔵構造体１０がカスタマーの仕様に寸法、形状を適合させた装飾的屋根部２４を含むものであってもよい。この屋根部２４は、所望により、及び/又は地域の規則で認められるならば、カスタマーの広告、商業上装飾又はロゴ２６を含むものであってもよい。
【００１６】
貯蔵構造体１０は種々の電気的及び/又は機械的システムを備えるものであってもよい。例えば、内部環境制御ユニット、例えば、空調、冷蔵庫、冷凍庫、加湿機、除湿機２８を貯蔵構造体１０に設け、貯蔵構造体１０内の貯蔵空間２２内の内部環境制御を行うようにしてもよい。従って、高温、多湿の環境においても、腐敗し易い食品、乳製品、ソフトドリンク、ビールなどの商品を所望の温度に維持することができる。
【００１７】
更に、貯蔵構造体１０は、ソーラーパネル３０および関連するバッテリー３２を備えていて、貯蔵構造体１０の貯蔵空間２２を照明するため、又は貯蔵構造体１０の側壁１４、末端壁面１６又は他の外部部材上の広告３６を照明するための内部照明システム３４に電気を供給するためのエネルギーを貯蔵するようにしてもよい。この広告３６は延ばした横断幕を含むもの、又は所望に応じて、それは前方ライト（ｌｉｔ）又は後方ライト（ｌｉｔ）であってもよい。所望により、貯蔵構造体１０のための全ての電気的、機械的部材用電力を、ハウジング１０に設けられ、かつ、地域の電力供給会社のラインと接続させた電気回路ボックス２９を介して提供するようにしてもよい。その他、ハウジング１０は発電機３１を備えたものでもよい。１つの可能な実施例において、この発電機３１は、天然ガスにより駆動され、地域の天然ガス供給会社の地下供給ラインに接続させたものでもよい。他の可能な実施例において、この発電機３１は、プロパンガスにより駆動されるものであって、貯蔵構造体１０が、発電機にプロパンガスを供給するためのプロパンガス貯蔵タンク３３を更に備えたものであってもよい。もちろん、このプロパンガス貯蔵タンク３３は地下に設けたものでもよい。その他の例として、発電機は燃料電池により稼動されるものでもよい。
【００１８】
更に、貯蔵構造体１０は、その外部表面に表わされている広告３６内に表示されている商品についての短い範囲の広告を通信させるための無線通信機３８を組み込んだものでもよい。特に効果的な広告は、特定の商品の詳細を提供する地域の無線通信広告との関連で、バックライトデジタルグラフィック広告横断幕３６を使用することである。これは、カスタマーのビジネス所在地で販売される商品を広告するときに特に効果的となる。
【００１９】
貯蔵構造体１０は、任意の適当な材料から構築することができる。貯蔵構造体１０は標準的なトレイラー又はボックス型トラックなどの様式で構築することができ、付加的な建築学的細部を含むもの、又は含まないものでもよい。貯蔵構造体１０は、例えば、米国特許Ｎｏ．６，２７９，２８７（Ｍｅａｄｏｗｓ）、同Ｎｏ．５，３７３，６７８（Ｈｅｓｓｅｒ）、同Ｎｏ．６，１１９，４２７（Ｗｙｍａｎら）に記載されているタイプのプレハブパネル４０のようなモジュール建築材料から製作することができる。このようなモジュールパネルは一般に、金属と、プラスチック外装材との挟持させた熱絶縁材からなるコア部が組み込まれている。このような構造体は、内部貯蔵用空間２２内の温度および湿度環境を効率的、且つ、効果的に制御することを可能にすると共に、長い低維持費使用寿命の間において過酷な天候下でのすぐれた耐久性を提供するものとなる。
【００２０】
このようなモジュール建築パネル４０から作られた貯蔵構造体１０は更に、特徴として高強度のものであり、強い風に耐え、貯蔵用空間２２内に収容されている商品を過酷な天候から保護する耐侯性囲いを維持させるという特徴を備えたものとなる。実際に、このような構造体は、ナットおよびボルトアンカー４２の組合せ、ボルトを下地のコンクリートパッド４４内に固定するなどにより、地面に容易に係留させることができる。このモジュールパネル４０は更に、貯蔵構造体１０を容易、且つ、迅速に建設させることを可能にし、後においても、散らかしを最小限にして短時間で除去することを可能にする。
【００２１】
本発明の好ましい実施例についての以上の記載は説明を目的とするものに過ぎず、ここに開示したそのものに本発明を限定することを意図したものではない。ここに開示したものに基づいて明らかな改良又は変形が当然可能であろう。例えば、広告３６は貯蔵構造体１０のパネル４０に対しグラフィックを直接適用したものでもよいし、屋根部２４内の光源４２からこれらのグラフィックに対し光を下向きに当てるようにしてもよい。貯蔵構造体１０には更に、広告３６を表示するため、電子表示システム、例えば、プラズマモニター、液晶ディスプレー、米国特許Ｎｏ．４，０２１，９４６に開示されているような回転式看板アセンブリー、電子メッセージ板などを設けてもよい。
【００２２】
これらの実施例は、本発明の原理およびその実際的用途を最もよく説明するために選択され、提供されたものであり、それにより、当業者は本発明を利用して特定の用途に適するように様々な態様および様々な改良を施すことができるであろう。そのような改良および変形は全て、公正的、法律的および均等論的に認められる範囲で解釈されるべき添付の特許請求の範囲により定められる範疇に包含されるものである。添付図面および好ましい実施例は、請求項の通常の意味するもの、およびその公正、且つ、広範な解釈を如何なる様式においても制限するものではないし、且つ、制限を意図するものでもない。
【図面の簡単な説明】
【００２３】
【図１】本発明の方法を介して、顧客に対して提供される貯蔵構造体の斜視図。
【図２】開口した末端ドアを介して見たときの貯蔵構造体の模式的側面図。
【符号の説明】
【００２４】
１０    貯蔵構造体
１２    床部
１４    側壁
１６    末端壁面
１８    屋根
２０    ドア
２２    貯蔵空間
２３    棚
２４    屋根部
２６    ロゴ
２８    除湿機等
２９    電気回路ボックス
３０    ソーラーパネル
３１    発電機
３２    バッテリー
３３    プロパンガス貯蔵タンク
３４    内部照明システム
３６    広告
３８    無線通信機
４０    モジュール建築パネル
４２    ボルトアンカー
４４    コンクリートパッド
【図１】
2009503583.tif 000003
【図２】
2009503583.tif 000004
【国際調査報告】
2009503583.tif 000005